(57)【要約】【課題】操縦座席５の前部に，その足元のステップ床台７及び操縦ハンドル８を，その前方に，エンジン１０及びそのボンネット１２を，前記エンジンよりも後ろ側の部分に通風フアン２１付きラジエータ２２を各々配設し，前記ボンネット内に，その内部のエンジン室１２ａと前記操縦ハンドルにおける軸８ａを囲うハンドルコラム１６内との区画板２３を設けて成る乗用型農作業機において，前記地面から舞い上がる塵埃にてラジエータにおける冷却性能が地面から舞い上がる塵埃にて低下することを回避する。【解決手段】前記ハンドルコラム１６内における下部に，当該ハンドルコラム内への大気空気の吸い込みを前記ステップ床台７より上側において行うようにした仕切り板２４を設ける。【選択図】図３
2007302023.tif 000002
【特許請求の範囲】
【請求項１】
操縦座席の前部に，その足元のステップ床台及び操縦ハンドルを，その前方に，水冷式のエンジン及びこのエンジンを覆うボンネットを，前記ボンネット内のうち前記エンジンよりも後ろ側の部分に通風フアン付きラジエータを各々配設し，前記ボンネット内に，前記ラジエータより前方のエンジン室と前記操縦ハンドルにおける軸を囲うハンドルコラム内との区画板を設けて成る乗用型農作業機において，
前記ハンドルコラム内における下部に，当該ハンドルコラム内への大気空気の吸い込みを前記ステップ床台より上側において行うようにした仕切り板を設けることを特徴とする乗用型農作業機におけるエンジンの冷却装置。
【請求項２】
前記請求項１の記載において，前記仕切り板の外周と，前記ハンドルコラムの内面との間に，軟質弾性体製のシール体を設けることを特徴とする乗用型農作業機におけるエンジンの冷却装置。
【請求項３】
前記請求項１又は２の記載において，前記仕切り板を，前記操縦ハンドルの軸より前側の前部仕切り板と，後側の後部仕切り板とに分割することを特徴とする乗用型農作業機におけるエンジンの冷却装置。
【発明の詳細な説明】
【技術分野】
【０００１】
本発明は，各種の農作業機のうち作業者が搭乗して操縦するようにした乗用型農作業機において，これに搭載したエンジンを冷却するための装置に関するものである。
【背景技術】
【０００２】
一般に，この種の乗用型農作業機においては，作業者が着座する操縦座席の前部に，下部にハンドルコラムを備えた操縦ハンドルを，その前方に，水冷式のエンジンと，このエンジンを覆うボンネットとを設け，このボンネット内のうち前記エンジンよりも後ろ側の部分に，前記エンジンに対するラジエータを配設するという構成にしている。
【０００３】
この場合，先行技術としての特許文献１は，前記ボンネット内に，前記ラジエータより前方のエンジン室内と前記操縦ハンドルの軸を囲うハンドルコラム内とを区画する区画板を設けるとともに，通風フアンを設けて，この通風フアンにより，前記ハンドルコラム内に吸い込んだ大気空気を，前記ラジエータを通過したのち前記エンジン室内に送風することにより，前記エンジンの冷却を図るように構成することを提案している。
【特許文献１】特開平１１−１８５２４号公報
【発明の開示】
【発明が解決しようとする課題】
【０００４】
この先行技術による構成であると，エンジン及びラジエータの両方に対する通風フアンに基づく強制通風によって，エンジンに対する冷却性能を確実に向上できる利点を有する。
【０００５】
しかし，その反面，前記先行技術は，前記ハンドルコラム内への大気空気の導入を，これらの下面側を，地面に対して開口することによって，大気空気を地面側から吸い込むように構成している。
【０００６】
このために，乗用型農作業機にて地面に対して各種の農作業を行う場合において地面から多量に舞い上がる塵埃を大気空気と一緒に吸い込むことになるから，前記ラジエータに前記塵埃による詰まりが発生し，エンジンに対する冷却性能が低下するおそれが大きいという問題があった。
【０００７】
この問題を解消するために，前記ハンドルコラムに，防塵網等の防塵手段を設けるという構成にした場合には，部品点数の増大，大型化及び重量のアップを招来するばかりか，空気の流れの抵抗が増大するので冷却性能が低下するのであり，しかも，前記防塵網等の防塵手段を定期的に清掃しなければならないという問題がある。
【０００８】
本発明は，前記操縦座席における足元には，作業者に対するステップ床台が設けられていることに着目し，このステップ床台を利用して，前記した問題を解消することを技術的課題とするものである。
【課題を解決するための手段】
【０００９】
この技術的課題を達成するため本発明は，
「操縦座席の前部に，その足元のステップ床台及び操縦ハンドルを，その前方に，水冷式のエンジン及びこのエンジンを覆うボンネットを，前記ボンネット内のうち前記エンジンよりも後ろ側の部分に通風フアン付きラジエータを各々配設し，前記ボンネット内に，前記ラジエータより前方のエンジン室と前記操縦ハンドルにおける軸を囲うハンドルコラム内との区画板を設けて成る乗用型農作業機において，
前記ハンドルコラム内における下部に，当該ハンドルコラム内への大気空気の吸い込みを前記ステップ床台より上側において行うようにした仕切り板を設ける。」
ことを特徴としている。
【発明の効果】
【００１０】
地面に対する各種の農作業を行うに際し地面から多量の塵埃が舞い上がることがあっても，操縦座席における足元の回りに存在するステップ床台の上面側は，地面から舞い上がる塵埃が少ない状態になっている。
【００１１】
そこで，前記ハンドルコラム内における下部に，当該ハンドルコラム内への大気空気の吸い込みを前記ステップ床台より上側において行うようにした仕切り板を設けるという構成にすることにより，前記ラジエータに対して，塵埃の少ない状態の大気空気を送風することができるから，地面から舞い上がる塵埃にてラジエータにおける冷却性能が低下することを，大気空気が吸い込む箇所に防塵手段を設けることなく，ひいては，防塵手段を設けることによる部品点数の増大，大型化及び重量のアップ等を招来することなく，確実に低減できる。
【００１２】
この場合において，請求項２に記載したように，前記仕切り板の外周と，前記ハンドルコラムの内面との間に，軟質弾性体製のシール体を設けるという構成にすることにより，地面から舞い上がる塵埃が前記ハンドルコラム内に吸い込むことをより確実に低減できるばかりか，前記仕切り板と前記ハンドルコラムとの間に，振動等に起因する相互の擦り合いによる騒音が発生することを回避できる利点がある。
【００１３】
また，請求項３に記載したように，前記仕切り板を，前記操縦ハンドルの軸より前側の前部仕切り板と，後側の後部仕切り板とに分割するという構成にすることにより，前記ハンドルコラム内への前記仕切り板の装着が，当該ハンドルコラムの内部に前記操縦ハンドルにおける軸の存在にかかわらず至極容易にできる利点がある。
【発明を実施するための最良の形態】
【００１４】
以下，本発明の実施の形態を，乗用型の芝刈機に適用した場合の図面について説明する。
【００１５】
この芝刈機１は，図１及び図２に示すように，左右一対の前車輪３と，同じく左右一対の後車輪４とで支持された機体フレーム２を備え，この機体フレーム２における後部上面には，作業者が搭乗する操縦座席５と，この操縦座席５の回り及び前記両後車輪４の上方を覆うようにしたリヤカウル６とが設けられ，前記リヤカウル６には，前記操縦座席５における足元の部分に作業者に対するステップ床台７が，左右方向に延びるように一体に設けられ，作業者はこのステップ床台７に乗った状態で前記操縦座席５に着座するように構成されている。
【００１６】
また，前記機体フレーム２には，前記操縦座席５の前方の部位に，チルト式の操縦ハンドル８及び操縦コラム部９とが設けられ，これらより前方の部位に，前記車輪３，４及び後述する刈取装置１２を駆動する水冷式のエンジン１０及びこのエンジン１０の前面及び左右両側面を覆うフロントカウル１１が設けられ，前記エンジン１０の上半分は，開閉自在なボンネット１２にて覆われている。
【００１７】
前記機体フレーム２における下面のうち両前車輪３と，両後車輪４との間の部位には，前進走行するときに地面に植立する芝草を刈り取るようにした刈取装置１３が設けられ，この刈取装置１３にて刈り取った芝草は，前記両後車輪４の間に後方に延びるように配設したダクト１４を介して，前記機体フレーム２の後部に取付けた集草ボックス１５内に捕集され，この集草ボックス１５内に捕集された芝草は，集草ボックス１５を回転することによってこの集草ボックス１５から排出するように構成されている。
【００１８】
前記操縦コラム部９は，前記操縦ハンドル８の軸８ａを囲うように前記ステップ床台７から立ち上がるハンドルコラム１６と，上部コラム１７とで構成され，前記上部コラム１７には，各種計器及びスイッチ類を設けて成る計器ボックス１８が取付られている一方，前記ステップ床台７のうち前記ハンドルコラム１６の側方の部位には，アクセルペタル１９，ブレーキペタル２０及びクラッチペタル等の各種の操縦操作具が設けられており，また，前記ボンネット１２内のエンジン室１２ａは，前記ハンドルコラム１６内に連通している。
【００１９】
前記ボンネット１２内のうち前記エンジン１０と，前記操縦ハンドル８との間には，前記エンジン１０側の面に通風フアン２１を備えたラジエータ２２が配設されているとともに，前記ボンネット１２内を前記ラジエータ２２より前方のエンジン室１２ａと前記ハンドルコラム１６内とを区画するための区画板２３が設けられており，前記通風フアン２１を，前記エンジン１０にて回転駆動することにより，前記ハンドルコラム１６内における大気空気を前記ラジエータ２２を通過したのち前記エンジン室１２ａ内に送風するように構成している。
【００２０】
そして，前記ハンドルコラム１６内のうち前記ラジエータ２２より下側の底部には，外周面が，前記ハンドルコラム１６の内面に密着するようにした仕切り板２４を設けて，前記ハンドルコラム１６内の底部を塞ぐことにより，前記ハンドルコラム１６内に，前記ステップ床台７の上面側における大気空気を，当該ハンドルコラム１６に穿設した空気取り入れ口１６ａ及び／又は操縦ハンドル８における軸８ａが上部コラム１７を貫通する部分等より吸い込むように構成している。
【００２１】
この場合，前記仕切り板２４は，前記操縦ハンドル８における軸８ａを挟んで前側の前部仕切り板２４ａと，後側の後部仕切り板２４ｂとに分割され，前記前部仕切り板２４ａは，前記ラジエータ２２側に対して図示しないボルトの締結等にて着脱可能に取付けられる一方，前記後部仕切り板２４ｂは，前記前部仕切り板２４ａに一部重なった状態でこの前部仕切り板２４ａ等に対して図示しないボルトの締結等にて着脱可能に取付けられている。
【００２２】
更に，この後部仕切り板２４ｂにおける外周のうち前記ハンドルコラム１６の内面に対峙する部分には，ゴム等のような軟質弾性体製のシール体２５を装着して，このシール体２５を，前記ハンドルコラム１６の内面に接触するように構成している。
【００２３】
なお，前記エンジン室１２ａを形成するための前記区画板２３の左右両側と，前記ハンドルコラム１６又は前記フロントカウル１１の内面との間には，その間の隙間を詰めるためのスポンジ体２６が設けられている。また，前記後部仕切り板２４ｂにおける外周の一部には，前記操縦コラム９の上面に取付けられる各種の計器及びランプ類に対する信号伝達用のハーネスを通すための切欠部２４ｂ′が設けられている。
【００２４】
この構成において，前記芝刈機１による芝刈り作業は，当該芝刈機１をその刈取装置１３を駆動した状態で前進走行することによって行われる。
【００２５】
この芝刈り作業に際して，地面からは，刈り取った芝草の細片や，土砂等の塵埃が多量に舞い上がることになるが，前記芝刈機１のうちステップ床台７の上面側においては，前記したように地面から舞い上がる塵埃が少ない状態になっており，そして，前記ステップ床台７の上面側における塵埃の少ない大気空気を，前記ハンドルコラム１６の内部に，当該内部に設けた前記仕切り板２４の作用にて吸い込ませて，これを，前記ラジエータ２２に送風することができるから，地面から舞い上がる塵埃にて前記ラジエータ２２における冷却性能が低下することを，前記ハンドルコラム１６に，防塵網等のような防塵手段を設けることなく，確実に低減できる。
【００２６】
また，前記ハンドルコラム１６内における仕切り板２４は，そのうち後部仕切り板２４ｂの外周に設けた軟質弾性体製のシール体２５が前記ハンドルコラム１６の内面に接触していることにより，この部分における気密性を確保できるばかりか，その間に振動等による擦り合いが発生することを回避できる。
【００２７】
更にまた，前記仕切り板２４は，操縦ハンドル８における軸８ａを挟んで前部仕切り板２４ａと後部仕切り板２４ｂとに分割した構成であることにより，この仕切り板２４における組み付けを，前記操縦ハンドル８における軸８ａを予め取付けた状態のままで行うことができる。
【００２８】
なお，前記実施の形態においては，前記ハンドルコラム１６を，図示したように，前記ステップ床台７から一体の立ち上がる下部ハンドルコラム１６ｂと，この下部ハンドルコラム１６ｂに対して着脱自在にした上部ハンドルコラム１６ｃとに構成して，その下部ハンドルコラム１６ｂの内面に，前記仕切り板２４を接触するという構成にした場合であったが，前記下部ハンドルコラム１６ｂと前記上部ハンドルコラム１６ｃとを一体にして，これを，前記ステップ床台７に一体又は着脱可能に取付けるという構成にすることができる。
【００２９】
また，前記実施の形態は，地面から多量の塵埃を舞い上げる芝刈機に適用した場合であったが，本発明は，これに限らず，トラクター等のようにその他の乗用型農作業機に対しても適用できることはいうまでもない。
【図面の簡単な説明】
【００３０】
【図１】芝刈機の側面図である。
【図２】図１の平面図である。
【図３】図２のIII −III 視拡大断面図である。
【図４】図３のIV−IV視拡大断面図である。
【符号の説明】
【００３１】
１                  芝刈機
２                  機体フレーム
３                  前車輪
４                  後車輪
５                  操縦座席
７                  ステップ床台
８                  操縦ハンドル
８ａ                操縦ハンドルの軸
９                  操縦コラム
１０                エンジン
１２                ボンネット
１２ａ              エンジン室
１３                刈取装置
１６                ハンドルコラム
２１                通風フアン
２２                ラジエータ
２３                区画板
２４                仕切り板
２４ａ              前部仕切り板
２４ｂ              後部仕切り板
２５                シール体
【図１】
2007302023.tif 000003
【図２】
2007302023.tif 000004
【図３】
2007302023.tif 000005
【図４】
2007302023.tif 000006